(57)【要約】【課題】他の照明器具との接触部分からの漏れ光を抑制することができる照明器具を提供する。【解決手段】照明器具１０は、発光装置３１と、発光装置３１からの光が入射することにより発光する長尺状の導光板３２と、導光板３２の一部、及び、発光装置３１を収容する長尺状の器具本体４０と、器具本体４０の長手方向の端部に取り付けられ、当該端部に他の照明器具１０ｆを連結するための連結部材９０とを備える。連結部材９０の一部は、器具本体４０の長手方向の端部よりも外側に位置する。【選択図】図４
2019036388.tif 000002
【特許請求の範囲】
【請求項１】
光源と、
前記光源からの光が入射することにより発光する長尺状の導光板と、
前記導光板の一部、及び、前記光源を収容する長尺状の器具本体と、
前記器具本体の長手方向の端部に取り付けられ、当該端部に他の照明器具を連結するための連結部材とを備え、
前記連結部材の一部は、前記器具本体の長手方向の端部よりも外側に位置する
照明器具。
【請求項２】
前記導光板は、互いに背向する第一主面及び第二主面、並びに、短手方向における端面を有し、前記端面に入射した前記光源からの光を前記第一主面から出射し、
前記器具本体は、ベース部、及び、前記ベース部に立設して前記第二主面を覆う壁部を含み、
前記連結部材は、前記ベース部に対向する第一部分、及び、前記壁部に対向する第二部分を含み、
前記第一部分の一部、及び、前記第二部分の一部のそれぞれは、前記器具本体の長手方向の端部よりも外側に位置する
請求項１に記載の照明器具。
【請求項３】
前記器具本体は、前記壁部の前記ベース部と反対側の端部に位置し、前記器具本体の長手方向に延在する溝を形成する位置規制部を有し、
前記溝には、前記導光板の前記端面と反対側の端部が挿入され、
前記連結部材は、前記溝に挿入される第三部分を含み
前記第三部分の一部は、前記器具本体の長手方向の端部よりも外側に位置する
請求項２に記載の照明器具。
【請求項４】
前記連結部材は、前記器具本体の長手方向の端部の内面に取り付けられる
請求項１〜３のいずれか１項に記載の照明器具。
【請求項５】
前記連結部材のうち前記器具本体の長手方向の端部よりも外側に位置する部分は、内向きに曲がっている
請求項４に記載の照明器具。
【請求項６】
前記連結部材は、前記器具本体の長手方向の端部の外面に取り付けられる
請求項１〜３のいずれか１項に記載の照明器具。
【請求項７】
第一照明器具と、
第二照明器具と、
連結部材とを備え、
前記第一照明器具及び前記第二照明器具のそれぞれは、
光源と、
前記光源からの光が入射することにより発光する長尺状の導光板と、
前記導光板の一部、及び、前記光源を収容する長尺状の器具本体とを備え、
前記連結部材は、前記第一照明器具が備える前記器具本体の長手方向の第一端部、及び、前記第二照明器具が備える前記器具本体の長手方向の第二端部とを連結し、前記第一端部及び前記第二端部の接触部分を覆う
照明器具セット。
【発明の詳細な説明】
【技術分野】
【０００１】
本発明は、ＬＥＤ（Ｌｉｇｈｔ  Ｅｍｉｔｔｉｎｇ  Ｄｉｏｄｅ）などの発光素子を備える照明器具に関する。
【背景技術】
【０００２】
近年、ＬＥＤを用いた照明器具が急速に普及している。このような照明器具の一例として、特許文献１には、ＬＥＤからの光を導光する導光板を有するコーブ照明が開示されている。
【先行技術文献】
【特許文献】
【０００３】
【特許文献１】特開２０１３−２２２７０４号公報
【発明の概要】
【発明が解決しようとする課題】
【０００４】
ところで、長尺状の照明器具を複数連結してより長い照明装置を構成する場合、複数の照明器具の連結部分（以下、接触部分とも記載する）からの漏れ光の抑制が課題となる。
【０００５】
本発明は、照明器具と他の照明器具との接触部分からの漏れ光を抑制することができる照明器具、及び、照明器具セットを提供する。
【課題を解決するための手段】
【０００６】
本発明の一態様に係る照明器具は、光源と、前記光源からの光が入射することにより発光する長尺状の導光板と、前記導光板の一部、及び、前記光源を収容する長尺状の器具本体と、前記器具本体の長手方向の端部に取り付けられ、当該端部に他の照明器具を連結するための連結部材とを備え、前記連結部材の一部は、前記器具本体の長手方向の端部よりも外側に位置する。
【０００７】
本発明の一態様に係る照明器具セットは、第一照明器具と、第二照明器具と、連結部材とを備え、前記第一照明器具及び前記第二照明器具のそれぞれは、光源と、前記光源からの光が入射することにより発光する長尺状の導光板と、前記導光板の一部、及び、前記光源を収容する長尺状の器具本体とを備え、前記連結部材は、前記第一照明器具が備える前記器具本体の長手方向の第一端部、及び、前記第二照明器具が備える前記器具本体の長手方向の第二端部とを連結し、前記第一端部及び前記第二端部の接触部分を覆う。
【発明の効果】
【０００８】
本発明の照明器具、及び、照明器具セットは、照明器具と他の照明器具との接触部分からの漏れ光を抑制することができる。
【図面の簡単な説明】
【０００９】
【図１】図１は、実施の形態に係る照明器具の第一の外観斜視図である。
【図２】図２は、実施の形態に係る照明器具の第二の外観斜視図である。
【図３Ａ】図３Ａは、実施の形態に係る照明器具の第一の設置例を示す図である。
【図３Ｂ】図３Ｂは、実施の形態に係る照明器具の第二の設置例を示す図である。
【図３Ｃ】図３Ｃは、実施の形態に係る照明器具の第三の設置例を示す図である。
【図４】図４は、実施の形態に係る照明器具の分解斜視図である。
【図５】図５は、実施の形態に係る照明器具が備える導光板ユニットの分解斜視図である。
【図６】図６は、実施の形態に係る照明装置を長手方向に垂直な平面で切断した場合の模式断面図である。
【図７】図７は、連結部材の外観斜視図である。
【図８】図８は、実施の形態に係る照明器具と他の照明器具との連結を説明するための第１の図である。
【図９】図９は、実施の形態に係る照明器具と他の照明器具との連結を説明するための第２の図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」の表現には、製造誤差や寸法公差等を含むという意味もある。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。Ｙ軸方向は、照明器具の長手方向として説明される。Ｘ軸方向は、照明器具の短手方向（幅方向）として説明される。以下の実施の形態において、平面視とは、Ｚ軸方向から見ること（基板の主面に垂直な方向から見ること）を意味する。
【００１３】
（実施の形態１）
［照明器具の全体構成］
まず、実施の形態に係る照明器具の概略構成について、図１〜図３Ｃを用いて説明する。図１及び図２は、実施の形態に係る照明器具の外観斜視図である。図３Ａ〜図３Ｃは、実施の形態に係る照明器具の設置例を示す図である。
【００１４】
図１〜図３Ｃに示される、実施の形態に係る照明器具１０は、長尺状の照明器具であり、例えば、住宅内に設置されて、コーブ照明またはコーニス照明等の間接照明として用いられる。つまり、照明器具１０は、間接照明器具である。照明器具１０が備える器具本体４０は、ベース部４１、第一壁部４２、及び、第二壁部４３を有する。第一壁部４２の高さは、第二壁部４３の高さよりも高く、第一壁部４２は、導光板３２を外部から視認できないように覆い隠す。一般的な間接照明では、第一壁部４２に相当する部材は、照明器具が設置される構造物（例えば、造営材）の造作によって実現される。これに対し、照明器具１０は、器具本体４０が第一壁部４２を有するため、このような造作が不要となる利点を有する。
【００１５】
図２に示されるように、器具本体４０のベース部４１には取付部材８０が設けられる。照明器具１０は、取付部材８０が有する挿通孔に挿通される棒状部材によって構造物に取り付けられる。棒状部材は、例えば、ボルトまたはネジ等である。図３Ａに示されるように、照明器具１０は、例えば、ベース部４１が住宅等の天井１０１に対向し、第二壁部４３が住宅等の壁１０２に対向する状態で、天井１０１に取り付けられる。この場合、照明器具１０は、導光板３２が発する光によって主として壁１０２を照らす。
【００１６】
また、図３Ｂに示されるように、照明器具１０は、住宅等の壁１０２から突出した造営材１０３に載置されてもよい。図３Ｂの設置例では、照明器具１０は、ベース部４１が造営材１０３に対向し、第二壁部４３が壁１０２に対向する状態で、造営材１０３に取り付けられる。照明器具１０は、導光板３２が発する光によって主として壁１０２を照らす。
【００１７】
また、図３Ｃに示されるように、照明器具１０は、住宅等の壁１０２に取り付けられてもよい。図３Ｃの設置例では、照明器具１０は、ベース部４１が壁１０２に対向し、第二壁部４３が天井１０１に対向する状態で、壁１０２に取り付けられる。この場合、照明器具１０は、導光板３２が発する光によって主として天井１０１を照らす。
【００１８】
次に、照明器具１０の詳細構成について図１〜図３Ｃに加えて図４〜図６を参照しながら説明する。図４は、照明器具１０の分解斜視図である。図５は、照明器具１０が備える導光板ユニットの分解斜視図である。図６は、照明器具１０を長手方向に垂直な平面で切断した場合の模式断面図である。
【００１９】
図１〜図６に示されるように、照明器具１０は、主として、導光板ユニット３０と、器具本体４０と、電源装置５０と、端子台６０と、カバー２０と、エンドカバー７０とを備える。器具本体４０は、導光板ユニット３０の一部と電源装置５０とを収容する筐体２５を構成する。以下、照明器具１０の各構成要素について説明する。
【００２０】
［導光板ユニット］
まず、導光板ユニット３０について説明する。導光板ユニット３０は、エッジライト方式の導光板ユニットである。導光板ユニット３０は、具体的には、発光装置３１と、導光板３２と、保持部材３３と、第二係合部３４と、係合部用カバー３５とを備える。
【００２１】
発光装置３１は、光源の一例である。発光装置３１は、ＳＭＤ（Ｓｕｒｆａｃｅ  Ｍｏｕｎｔ  Ｄｅｖｉｃｅ）構造の発光モジュールであり、後述のようにＳＭＤ型の発光素子（ＬＥＤ素子３１ｂ）を有する。発光装置３１は、基板３１ａと、複数のＬＥＤ素子３１ｂとを備える。なお、発光装置３１は、ＬＥＤ素子３１ｂを少なくとも１つ備えればよい。
【００２２】
基板３１ａは、Ｙ軸方向を長手方向とする長尺状の平板である。基板３１ａの平面視形状は、矩形状であるが、その他の形状であってもよい。基板３１ａは、例えば、樹脂材料を基材とするＣＥＭ−３（Ｃｏｍｐｏｓｉｔｅ  Ｅｐｏｘｙ  Ｍａｔｅｒｉａｌ−３）基板であるが、その他の樹脂基板であってもよいし、金属材料を基材するメタルベース基板またはセラミック材料を基材とするセラミック基板であってもよい。その他の樹脂基板としては、ＦＲ−４（Ｆｌａｍｅ  Ｒｅｔａｒｄａｎｔ−４）基板が例示される。セラミック基板としては、酸化アルミニウム（アルミナ）からなるアルミナ基板または窒化アルミニウムからなる窒化アルミニウム基板等が例示される。また、メタルベース基板としては、アルミニウム合金基板、鉄合金基板、または銅合金基板等が例示される。
【００２３】
また、基板３１ａは、リジッド基板に限定されない。基板３１ａは、ポリイミド等を基材とするフレキシブル基板であってもよい。
【００２４】
ＬＥＤ素子３１ｂは、ＳＭＤ型の発光素子であり、白色光を発する。ＬＥＤ素子３１ｂは、凹部を有するパッケージと、パッケージの凹部底面に実装されたＬＥＤチップと、パッケージの凹部に充填され、ＬＥＤチップを封止する封止部材とを有する。ＬＥＤチップは、例えば、青色光を発する青色ＬＥＤチップであり、封止部材は、例えば、波長変換材料としてイットリウム・アルミニウム・ガーネット（ＹＡＧ）系の黄色蛍光体粒子を含むシリコーン樹脂である。また、ＬＥＤ素子３１ｂは、ＬＥＤ素子３１ｂを基板３１ａに実装するための金属端子を有する。
【００２５】
複数のＬＥＤ素子３１ｂは、基板３１ａ上に配置され、電源装置５０から供給される電力を用いて発光する。複数のＬＥＤ素子３１ｂは、具体的には、基板３１ａの長手方向に沿って直線状に並んで配置され、発光素子列を構成する。平面視において、発光素子列は、基板３１ａのＸ軸−側の端部に位置する。複数のＬＥＤ素子３１ｂは、例えば、等間隔に配置される。複数のＬＥＤ素子３１ｂは、主として導光板３２の端面３２ａに向けて光を発する。
【００２６】
複数のＬＥＤ素子３１ｂは、基板３１ａの配線層に含まれる配線パターンによって直列接続される。なお、複数のＬＥＤ素子３１ｂの電気的な接続態様（直列接続、並列接続、及び、直列接続と並列接続との組み合わせの接続等）は特に限定されるものではない。
【００２７】
導光板３２は、Ｙ軸方向を長手方向とする長尺状の光学部材である。導光板３２をＸ軸方向から見た形状は、矩形状であるが、その他の形状であってもよい。導光板３２は、透光性を有する材料（例えば、透明の材料）によって形成される。導光板３２は、例えば、アクリル樹脂によって形成されるが、ポリカーボネートまたはガラスなどによって形成されてもよい。
【００２８】
導光板３２は、端面３２ａ、第一主面３２ｂ、及び、第一主面３２ｂの反対側の第二主面３２ｃを有し、端面３２ａに入射した発光装置３１からの光を少なくとも第一主面３２ｂから出射する。
【００２９】
端面３２ａは、発光装置３１が発する光が入射する入射面であり、発光装置３１（複数のＬＥＤ素子３１ｂ）と対向配置される。なお、端面３２ａが発光装置３１と対向配置されることは必須ではない。例えば、発光装置３１が発する光は、光ファイバなどの端面３２ａと対向する他の導光部材を介して端面３２ａに入射してもよい。
【００３０】
第一主面３２ｂは、電源装置５０の方を向く光出射面である。第一主面３２ｂの少なくとも一部は、カバー２０及び器具本体４０によって覆われておらず、照明器具１０の外部に露出している。第二主面３２ｃは、第一主面３２ｂと背向する主面である。第二主面３２ｃは、器具本体４０の第一壁部４２と対向し、全体が第一壁部４２によって覆われている。第一主面３２ｂ及び第二主面３２ｃの少なくとも一方には、端面３２ａに入射した光を第一主面３２ｂ側に反射するための反射構造が設けられる。このような反射構造により、導光板３２の第一主面３２ｂは面発光する。反射構造は、例えば、微細プリズムであるが、その他の構造であってもよい。
【００３１】
保持部材３３は、Ｙ軸方向を長手方向とする長尺状の部材であり、器具本体４０のベース部４１に載置される。保持部材３３は、発光装置３１及び導光板３２を保持する。保持部材３３は、例えば、鋼板などの板金の折り曲げによって導光板３２が差し込まれる隙間を有する略筒状に形成される。発光装置３１は、保持部材３３の内部に配置され、保持部材３３にネジ止めされる。導光板３２は、保持部材３３の隙間に差し込まれ、保持部材３３にネジ止めされる。なお、保持部材３３は、複数の板金の組み合わせによって形成されてもよい。保持部材３３は、例えば、器具本体４０のベース部４１にネジ止めされる。
【００３２】
第二係合部３４は、カバー２０を器具本体４０に係止させるための部材であり、保持部材３３に取り付けられる。第二係合部３４は、カバー２０が有する第二被係合部２４と係合する。第二係合部３４は、具体的には、例えば、Ｘ軸−側に突出した凸部を含み、第二被係合部２４に含まれるＸ軸＋側に突出した凸部と係合する。
【００３３】
第二係合部３４は、例えば、鋼板などの板金の折り曲げによって形成される板ばねであり、保持部材３３にネジ止めされる。なお、第二係合部３４及び第二被係合部２４が係合する際には、第二係合部３４の弾性が利用されるため、第二係合部３４は、保持部材３３よりも高い弾性を有するとよい。この場合、第二係合部３４は、保持部材３３を形成する板金よりも薄い板金によって形成されてもよいし、保持部材３３を形成する材料よりも弾性の高い材料によって形成されてもよい。照明器具１０は、保持部材３３の長手方向に沿って配置された２つの第二係合部３４を備えているが、少なくとも１つの第二係合部３４を備えればよい。
【００３４】
係合部用カバー３５は、第二係合部３４を覆うカバーである。係合部用カバー３５は、例えば、鋼板などの板金の折り曲げによって形成され、保持部材３３にネジ止めされる。
【００３５】
照明器具１０の設置の際には、照明器具１０のうちカバー２０以外の部分が構造物に固定された後、カバー２０が取り付けられる。カバー２０以外の部分が構造物に固定された状態においては、作業者にとって第二係合部３４の位置は見づらく、カバー２０が不適切な位置に挿入される場合がある。係合部用カバー３５によれば、カバー２０が不適切な位置に挿入された場合に第二係合部３４が変形してしまうこと等を抑制することができる。また、係合部用カバー３５によれば、作業者にカバー２０が適切な位置に挿入された感触を与えることもできる。
【００３６】
パッキン３６は、第一主面３２ｂ及び保持部材３３の隙間を塞ぐシール部材である。パッキン３６は、例えば、エラストマーなどの樹脂材料によって形成される。
【００３７】
［器具本体］
器具本体４０は、導光板ユニット３０、及び、電源装置５０を支持する。器具本体４０は、より詳細には、発光装置３１及び導光板３２を、保持部材３３を介して支持する。また、器具本体４０は、カバー２０とともに照明器具１０の筐体２５を構成する。器具本体４０は、Ｙ軸方向を長手方向とする長尺状であり、Ｙ軸に垂直な平面で切断した場合の断面形状が略角括弧状である。
【００３８】
器具本体４０は、例えば、アルミニウムなどの金属材料の押し出し成形によって作製される。したがって、器具本体４０をＹ軸方向に垂直した平面で切断した断面形状は、切断位置によらずほぼ同じ形状となる。なお、器具本体４０は、押し出し成形以外の工法で作製されてもよい。また、器具本体４０が金属材料によって形成されることは必須ではなく、樹脂材料によって形成されてもよい。器具本体４０は、より具体的には、ベース部４１と、第一壁部４２と、第二壁部４３と、第一係合部４４と、位置規制部４５とを有する。
【００３９】
ベース部４１は、器具本体４０のうち、導光板ユニット３０及び電源装置５０が載置される、略矩形板状の部分である。導光板ユニット３０は、ベース部４１の内面のＸ軸−側の領域に配置され、電源装置５０は、ベース部４１の内面のＸ軸＋側の領域に配置される。導光板ユニット３０及び電源装置５０のそれぞれは、例えば、ベース部４１にネジ止めされる。
【００４０】
ベース部４１の外面には、各々が照明器具１０のＹ軸方向に沿って長い、第一リブ４１ａ、第二リブ４１ｂ、及び、第三リブ４１ｃが配置される。第一リブ４１ａは、ベース部４１の外面のＸ軸−側の端部に配置され、第二リブ４１ｂは、ベース部４１の外面のＸ軸＋側の端部に配置され、第三リブ４１ｃは、Ｘ軸方向において第一リブ４１ａ及び第二リブ４１ｂの間に配置される。平面視において、発光装置３１及び導光板３２は、第一リブ４１ａ及び第三リブ４１ｃの間に位置し、電源装置５０は、第二リブ４１ｂ及び第三リブ４１ｃの間に位置する。
【００４１】
照明器具１０が構造物に設置された状態において、第一リブ４１ａ、第二リブ４１ｂ、及び、第三リブ４１ｃは、基本的には当該構造物に接触する。なお、第一リブ４１ａは、面取りされており、これにより、照明器具１０を構造物の角に沿って設置することが容易となる。
【００４２】
上記図２に示されるように、ベース部４１は、第二リブ４１ｂ及び第三リブ４１ｃの間の領域に開口を有し、取付部材８０は、当該開口から照明器具１０の外側に突出している。取付部材８０は、照明器具１０を構造物に取り付けるための部材であり、照明器具１０は、取付部材８０が有する挿通孔に挿入される棒状部材によって構造物に設置される。
【００４３】
第一壁部４２は、ベース部４１の導光板３２側の端部に立設した略矩形板状の部分である。ベース部４１の導光板３２側の端部は、言い換えれば、ベース部４１のＸ軸−側の端部である。第一壁部４２は、導光板３２の第二主面３２ｃに対向する非透光性の板材の一例であり、第二主面３２ｃを覆う。照明器具１０が構造物に設置された状態において、第一壁部４２は、基本的には当該構造物に接触しない。
【００４４】
第二壁部４３は、ベース部４１の導光板３２と反対側の端部に立設した略矩形板状の部分である。ベース部４１の導光板３２と反対側の端部は、言い換えれば、ベース部４１のＸ軸＋側の端部である。第二壁部４３のベース部４１の主面からの高さは、第一壁部４２のベース部４１の主面からの高さよりも低い。第二壁部４３の内面には、第一係合部４４が配置される。照明器具１０が構造物に設置された状態において、第二壁部４３は、基本的には当該構造物に接触する。
【００４５】
第一係合部４４は、カバー２０を器具本体４０に係止させるための部分であり、第二壁部４３の内面に配置される。第一係合部４４は、カバー２０が有する第一被係合部２３と係合する。第一係合部４４は、照明器具１０の長手方向に沿う溝を形成し、当該溝にカバー２０の第一被係合部２３が設けられた端部が挿入される。第一係合部４４は、具体的には、例えば、Ｘ軸＋側に突出した凸部を含み、第一被係合部２３に含まれるＸ軸−側に突出した凸部と係合する。
【００４６】
照明器具１０において、第一係合部４４とベース部４１との間には、スペースＳ２（図６に図示）が形成される。スペースＳ２は、電源ケーブルを収容するスペースとして有用である。スペースＳ２に電源ケーブルが収容されれば、第一係合部４４は、電源ケーブルの押えとしても機能する。
【００４７】
位置規制部４５は、第一壁部４２のＺ軸＋側の端部に位置し、断面形状が角括弧状の部分である。位置規制部４５は、照明器具１０の長手方向に沿う溝を形成し、導光板３２のＺ軸＋側の端部は、当該溝に挿入される。これにより、導光板３２の位置が規制される。
【００４８】
［電源装置及び端子台］
電源装置５０は、導光板ユニット３０の発光装置３１に電力を供給する装置である。電源装置５０は、具体的には、端子台６０に挿入された電源ケーブル（図示せず）を介して得られる交流電力を発光装置３１が有する複数のＬＥＤ素子３１ｂの発光に適した電力に変換し、変換された後の電力を複数のＬＥＤ素子３１ｂに供給する。この結果、複数のＬＥＤ素子３１ｂは、電源装置５０から供給された電力を用いて発光する。
【００４９】
電源装置５０は、具体的には、例えば、交流電力を直流電力に変換する回路を備える。当該回路を構成する複数の回路素子には、例えば、電解コンデンサもしくはセラミックコンデンサ等の容量素子、抵抗器等の抵抗素子、整流素子、ヒューズ、ノイズフィルタ、ダイオード、及び、集積回路素子等の半導体素子等が含まれる。交流電力を直流電力に変換する回路は、例えば、スイッチング電源回路である。
【００５０】
端子台６０は、照明器具１０が電力系統から交流電力を得るための電源ケーブルが挿入される端子ユニットである。詳細には図示されないが、端子台６０は、略直方体状の本体部、及び、本体部内に配置された速結端子などを有する。速結端子には、本体部に設けられた挿入孔に挿入された電源ケーブルの端部が電気的に接続される。なお、端子台６０には調光信号などの信号を伝送するケーブルが挿入されてもよい。
【００５１】
［カバー］
カバー２０は、電源装置５０を覆う。また、カバー２０は、器具本体４０とともに照明器具１０の筐体２５を構成する。カバー２０は、Ｙ軸方向を長手方向とする長尺状である。カバー２０は、例えば、アルミニウムなどの金属材料の押し出し成形によって作製される。したがって、カバー２０をＹ軸方向に垂直した平面で切断した断面形状は、切断位置によらずほぼ同じ形状となる。なお、カバー２０は、押し出し成形以外の工法で作製されてもよい。また、カバー２０が金属材料によって形成されることは必須ではなく、樹脂材料によって形成されてもよい。
【００５２】
カバー２０は、第一被係合部２３及び第二被係合部２４を有する。第一被係合部２３は、カバー２０のＸ軸＋側の端部に配置される。第一被係合部２３は、Ｚ軸−側に突出し、かつ、Ｙ軸方向に長いリブ状の部分である。第一被係合部２３は、Ｘ軸−側に突出した凸部を含み、当該凸部が第一係合部４４のＸ軸＋側に突出した凸部と係合する。
【００５３】
第二被係合部２４は、カバー２０のＸ軸−側の端部に配置される。第二被係合部２４は、Ｚ軸−側に突出し、かつ、Ｙ軸方向に長いリブ状の部分である。第二被係合部２４は、Ｘ軸＋側に突出した凸部を含み、当該凸部が第二係合部３４のＸ軸−側に突出した凸部と係合する。
【００５４】
このように、第一被係合部２３及び第一係合部４４が係合し、かつ、第二被係合部２４及び第二係合部３４が係合することにより、カバー２０は、器具本体４０に係止する。このような係合構造によれば、カバー２０の器具本体４０への取り付けが容易となる。なお、カバー２０は、ネジ止めなど、係合以外の方法で器具本体４０に取り付けられてもよい。
【００５５】
カバー２０の表面は、光反射性を有する。カバー２０の表面は、例えば、白色の塗料が塗られることにより光反射性を有し、導光板３２の第一主面３２ｂから出射された光を反射する。これにより、導光板３２の第一主面３２ｂから出射された光の利用効率を高めることができる。なお、カバー２０の表面が光反射性を有することは必須ではない。
【００５６】
カバー２０の表面は、傾斜面２１を含む。傾斜面２１の少なくとも一部は、電源装置５０及び導光板３２の間に位置する。傾斜面２１は、導光板３２の近くに位置する部分ほどベース部４１からの高さが低い。これにより、カバー２０が傾斜していない場合よりも導光板３２の第一主面３２ｂの露出面積が増えるため、導光板３２の第一主面３２ｂから出射された光の利用効率を高めることができる。
【００５７】
また、傾斜面２１は、湾曲している。これにより、傾斜面２１は、より均一に光を反射することができる。
【００５８】
また、カバー２０の表面は、第一主面３２ｂと対向する平面２２を含む。これにより、平面２２及び第一主面３２ｂの間のスペースＳ１（図６に図示）に、クッション材またはパッキンなどを配置することが容易となる。例えば、スペースＳ１にクッション材があらかじめ配置されていれば、カバー２０の取り付け時に導光板３２にキズなどがついてしまうことを抑制することができる。
【００５９】
［エンドカバー］
エンドカバー７０は、器具本体４０の長手方向における一方の端部を覆うエンドキャップである。エンドカバー７０は、例えば、ＡＳＡ（Ａｃｒｙｌａｔｅ  Ｓｔｙｒｅｎｅ  Ａｃｒｙｌｏｎｉｔｒｉｌｅ）樹脂などの樹脂材料によって形成されるが、金属材料によって形成されていてもよい。エンドカバー７０は、器具本体４０のベース部４１にネジ止めされる。
【００６０】
［連結部材］
器具本体４０の長手方向における他方の端部には、当該端部に他の照明器具を連結するための連結部材９０が取り付けられる。図７は、連結部材９０の外観斜視図である。図８及び図９は、照明器具１０と他の照明器具との連結を説明するための図である。なお、図８及び図９では、内部構造を示すためにカバー２０等の図示が省略されている。図８及び図９において、他の照明器具１０ｆは照明器具１０と同様の構成であり、詳細な説明は省略される。
【００６１】
連結部材９０は、例えば、略長尺矩形状の金属鋼板の折り曲げ加工によって形成される。連結部材９０は、器具本体４０の内面にネジ止めされる。器具本体４０に取り付けられた状態の連結部材９０の一部は、器具本体４０の長手方向の端部よりも外側に位置する。ここでの外側は、長手方向における外側を意味し、言い換えれば、他の照明器具１０ｆ側、または、Ｙ軸−側である。
【００６２】
このように、連結部材９０が器具本体４０の長手方向の端部よりも外側に突出し、長手方向においてはみ出ている場合、連結部材９０は、照明器具１０の器具本体４０と他の照明器具１０ｆの器具本体４０ｆとの接触部分を内側から覆うことができる。連結部材９０は、具体的には、接触部分を当該接触部分の延伸方向に沿って覆うことができる。接触部分は、言い換えれば、器具本体４０の端面と器具本体４０ｆの端面との継ぎ目である。これにより、器具本体４０の端面と器具本体４０ｆの端面との接触部分からの漏れ光が抑制される。
【００６３】
連結部材９０は、具体的には、第一部分９１と、第二部分９２と、第三部分９３とを含む。
【００６４】
第一部分９１は、連結部材９０のうちベース部４１と対向する部分である。第一部分９１には、ネジ挿通孔が設けられる。連結部材９０は、ネジ挿通孔に挿通されたネジにより、器具本体４０の端部に取り付けられる。また、照明器具１０と他の照明器具１０ｆが連結された状態において、第一部分９１は、他の照明器具１０ｆにもネジ止めされる。
【００６５】
第一部分９１の一部は、器具本体４０の長手方向の端部よりも外側に位置する。ここでの外側は、長手方向における外側を意味し、言い換えれば、他の照明器具１０ｆ側、または、Ｙ軸−側である。
【００６６】
これにより、第一部分９１は、照明器具１０のベース部４１と他の照明器具１０ｆのベース部４１ｆとの接触部分を器具本体４０の内側から覆うことができ、ベース部４１の端面とベース部４１ｆの端面との接触部分からの漏れ光が抑制される。なお、第一部分９１は、ベース部４１の端面とベース部４１の端面との接触部分を一方の端部から他方の端部までほぼ途切れることなく覆っているが、少なくとも一部を覆っていればよい。
【００６７】
第二部分９２は、連結部材９０のうち第一壁部４２と対向する部分である。第二部分９２は、連結部材９０において第一部分９１及び第三部分９３の間に位置する部分であり、第一部分９１及び第三部分９３のそれぞれと接続される。
【００６８】
第二部分９２の一部は、器具本体４０の長手方向の端部よりも外側に位置する。ここでの外側は、長手方向における外側を意味し、言い換えれば、他の照明器具１０ｆ側、または、Ｙ軸−側である。
【００６９】
これにより、第二部分９２は、照明器具１０の第一壁部４２と他の照明器具１０ｆの第一壁部４２ｆとの接触部分を内側から覆うことができ、第一壁部４２の端面と第一壁部４２ｆの端面との接触部分からの漏れ光が抑制される。なお、第二部分９２は、第一壁部４２の端面と第一壁部４２ｆの端面との接触部分を一方の端部から他方の端部までほぼ途切れることなく覆っているが、少なくとも一部を覆っていればよい。
【００７０】
第三部分９３は、連結部材９０のうち位置規制部４５と対向する部分である。上述のように、位置規制部４５は、器具本体４０のうち、第一壁部４２のベース部４１と反対側の端部に接続された部分であり、器具本体４０の長手方向に延在する溝を形成する。第三部分９３は、一部がこの溝に挿入され、他の一部が器具本体４０の長手方向の端部よりも外側に位置する。ここでの外側は、長手方向における外側を意味し、言い換えれば、他の照明器具１０ｆ側、または、Ｙ軸−側である。
【００７１】
これにより、第三部分９３は、照明器具１０の位置規制部４５と他の照明器具１０ｆの位置規制部４５ｆとの接触部分を内側から覆うことができ、位置規制部４５の端面と位置規制部４５ｆの端面との接触部分からの漏れ光が抑制される。
【００７２】
また、第三部分９３が器具本体４０の長手方向の端部よりも外側に突出し、長手方向においてはみ出ている場合、照明器具１０に他の照明器具１０ｆを連結するには、他の照明器具１０ｆの位置規制部４５によって形成される溝に第三部分９３を差し込む必要がある。つまり、第三部分９３は、照明器具１０及び他の照明器具１０ｆの連結に際して位置決め構造としても機能する。
【００７３】
ところで、図７に示されるように、第一部分９１のうち器具本体４０の長手方向の端部よりも外側に位置する部分９１ａは、内向きに折れ曲がっている。同様に、第二部分９２の器具本体４０の長手方向の端部よりも外側に位置する部分９２ａは、内向きに折れ曲がっている。つまり、連結部材９０のうち器具本体４０の長手方向の端部よりも外側に位置する部分は、内向きに曲がっている。これにより、連結部材９０を他の照明器具１０ｆに差し込むことが容易となる。つまり、照明器具１０と他の照明器具１０ｆの連結が容易となる。なお、内向きとは、言い換えれば、照明器具１０の内方向きである。
【００７４】
連結状態においては、第二部分９２のうち器具本体４０の長手方向の端部よりも外側に位置する部分９２ａは、導光板３２ｆ及び第一壁部４２ｆの間に差し込まれる。これにより、導光板３２ｆからの漏れ光をより確実に抑制することができる。なお、第二部分９２の一部は、導光板３２と第一壁部４２の間には配置されていないが、第二部分９２の一部は、導光板３２と第一壁部４２の間に配置されてもよい。
【００７５】
［効果等］
以上説明したように、照明器具１０は、発光装置３１と、発光装置３１からの光が入射することにより発光する長尺状の導光板３２と、導光板３２の一部、及び、発光装置３１を収容する長尺状の器具本体４０と、器具本体４０の長手方向の端部に取り付けられ、当該端部に他の照明器具１０ｆを連結するための連結部材９０とを備える。発光装置３１は、光源の一例である。連結部材９０の一部は、器具本体４０の長手方向の端部よりも外側に位置する。
【００７６】
これにより、連結部材９０は、照明器具１０の器具本体４０と他の照明器具１０ｆの器具本体４０ｆとの接触部分を覆うことができ、器具本体４０と器具本体４０ｆとの接触部分からの漏れ光が抑制される。
【００７７】
また、導光板３２は、互いに背向する第一主面３２ｂ及び第二主面３２ｃ、並びに、短手方向における端面３２ａを有し、端面３２ａに入射した発光装置３１からの光を第一主面３２ｂから出射してもよい。器具本体４０は、ベース部４１、及び、ベース部４１に立設して第二主面３２ｃを覆う第一壁部４２を含んでもよい。連結部材９０は、ベース部４１に対向する第一部分９１、及び、第一壁部４２に対向する第二部分９２を含み、第一部分９１の一部、及び、第二部分９２の一部のそれぞれは、器具本体４０の長手方向の端部よりも外側に位置してもよい。
【００７８】
これにより、第一部分９１は、照明器具１０のベース部４１と他の照明器具１０ｆのベース部４１ｆとの接触部分を器具本体４０の内側から覆うことができ、ベース部４１とベース部４１ｆとの接触部分からの漏れ光が抑制される。また、第二部分９２は、照明器具１０の第一壁部４２と他の照明器具１０ｆの第一壁部４２ａとの接触部分を内側から覆うことができ、第一壁部４２と第一壁部４２ａとの接触部分からの漏れ光が抑制される。
【００７９】
また、器具本体４０は、第一壁部４２ａのベース部４１と反対側の端部に位置し、器具本体４０の長手方向に延在する溝を形成する位置規制部４５を有し、当該溝には、導光板３２の端面３２ａと反対側の端部が挿入されてもよい。連結部材９０は、溝に挿入される第三部分９３を含み、第三部分９３の一部は、器具本体４０の長手方向の端部よりも外側に位置してもよい。
【００８０】
これにより、第三部分９３は、照明器具１０の位置規制部４５と他の照明器具１０ｆの位置規制部４５ｆとの接触部分を内側から覆うことができ、位置規制部４５の端面と位置規制部４５ｆの端面との接触部分からの漏れ光が抑制される。また、第三部分９３は、照明器具１０及び他の照明器具１０ｆの連結に際して位置決め構造としても機能する。
【００８１】
また、連結部材９０は、器具本体４０の長手方向の端部の内面に取り付けられてもよい。
【００８２】
これにより、器具本体４０と器具本体４０ｆとの接触部分が器具本体４０の内側から覆われることで漏れ光を抑制することができる。
【００８３】
また、連結部材９０のうち器具本体４０の長手方向の端部よりも外側に位置する部分は、内向きに曲がっていてもよい。
【００８４】
これにより、連結部材９０を他の照明器具１０ｆに差し込むことが容易となる。つまり、照明器具１０と他の照明器具１０ｆの連結が容易となる。
【００８５】
また、本発明は、照明器具１０及び他の照明器具１０ｆの照明器具セットとして実現されてもよい。このような照明器具セットは、照明器具１０と、他の照明器具１０ｆと、連結部材９０とを備える。照明器具１０及び他の照明器具１０ｆのそれぞれは、発光装置３１と、発光装置３１からの光が入射することにより発光する長尺状の導光板３２と、導光板３２の一部、及び、発光装置３１を収容する長尺状の器具本体４０とを備える。連結部材９０は、照明器具１０が備える器具本体４０の長手方向の第一端部、及び、他の照明器具１０ｆが備える器具本体４０ｆの長手方向の第二端部とを連結し、第一端部及び第二端部の接触部分を覆う。照明器具１０は、第一照明器具の一例であり、他の照明器具１０ｆは、第二照明器具の一例である。第一端部は、上記実施の形態では、Ｙ軸−側の端部であり、第二端部は、上記実施の形態では、Ｙ軸＋側の端部である。
【００８６】
これにより、器具本体４０と器具本体４０ｆとの接触部分からの漏れ光が抑制される。
【００８７】
［変形例］
連結部材９０の態様は、一例であり、照明器具１０は、その他の態様の連結部材９０を備えてもよい。照明器具１０は、例えば、器具本体４０の長手方向の端部の外面に取り付けられる連結部材９０を備えてもよい。
【００８８】
これにより、器具本体４０と器具本体４０ｆとの接触部分が器具本体４０の外側から覆われることで漏れ光を抑制することができる。
【００８９】
（その他の実施の形態）
以上、実施の形態について説明したが、本発明は、このような実施の形態に限定されるものではない。
【００９０】
例えば、上記実施の形態では、照明器具は長尺状であったが、照明器具は、長尺状以外の形状であってもよい。照明器具は、どのような形状であってもよい。
【００９１】
また、上記実施の形態では、発光装置は、ＳＭＤ構造の発光装置であったが、ＣＯＢ（Ｃｈｉｐ  Ｏｎ  Ｂｏａｒｄ）構造の発光装置であってもよい。ＣＯＢ構造の発光装置においては、ＬＥＤチップが発光素子として用いられ、基板上にＬＥＤチップが直接実装され、当該ＬＥＤチップが蛍光体粒子を含有する透光性樹脂材によって封止される。また、発光装置は、ＬＥＤチップと、当該ＬＥＤチップと離れた位置に配置された蛍光体粒子を含む樹脂部材とを有するリモートフォスファー型の発光装置であってもよい。
【００９２】
また、発光素子は、ＬＥＤチップまたはＬＥＤチップを用いた素子に限定されない。例えば、半導体レーザまたは有機ＥＬ（Ｅｌｅｃｔｒｏ  Ｌｕｍｉｎｅｓｃｅｎｃｅ）等、ＬＥＤチップ以外の固体発光素子が発光素子として用いられてもよい。
【００９３】
また、本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００９４】
１０  照明器具（第一照明器具）
１０ｆ  他の照明器具（第二照明器具）
３１  発光装置（光源）
３２、３２ｆ  導光板
３２ａ  端面
３２ｂ  第一主面
３２ｃ  第二主面
４０、４０ｆ  器具本体
４１  ベース部
４２  第一壁部
４５  位置規制部
９０  連結部材
９１  第一部分
９１ａ、９２ａ  部分
９２  第二部分
９３  第三部分
【図１】
2019036388.tif 000003
【図２】
2019036388.tif 000004
【図３Ａ】
2019036388.tif 000005
【図３Ｂ】
2019036388.tif 000006
【図３Ｃ】
2019036388.tif 000007
【図４】
2019036388.tif 000008
【図５】
2019036388.tif 000009
【図６】
2019036388.tif 000010
【図７】
2019036388.tif 000011
【図８】
2019036388.tif 000012
【図９】
2019036388.tif 000013